(57)【特許請求の範囲】
【請求項１】
発散光を射出する発光面を備えた発光素子と、
前記発光素子の前記発光面を覆う光源レンズとを有し、
前記発光面の発光中心点Ｐを原点とし、前記原点で直交して前記発光面と同一平面上を延びる二軸をＸ軸およびＹ軸、前記原点から前記発光面の前方に垂直に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする光源装置。
【請求項２】
請求項１において、
前記中央レンズ部分は、当該中央レンズ部分を通過する光を（ｘ，ｙ，ｚ）成分で表した場合に、ｙ成分のみを０に近づけるように作用するものとされていることを特徴とする光源装置。
【請求項３】
請求項１または２において、
前記側方レンズ部分は、当該側方レンズ部分を通過する光を（ｘ，ｙ，ｚ）成分で表した場合に、ｚ成分とｘ成分を０に近づけるように作用するものとされていることを特徴とする光源装置。
【請求項４】
請求項１ないし３のうちのいずれかの項において、
前記中央レンズ部分および前記側方レンズ部分のそれぞれは、Ｙ軸を中心として同一断面形状を回転させることにより得られる回転体であり、ＸＹ平面からＸ軸のマイナス方向に向って９０°〜１８０°の角度範囲に渡って形成されていることを特徴とする光源装置。
【請求項５】
請求項４において、
前記中央レンズ部分および前記側方レンズ部分のそれぞれは、ＸＹ平面から９０°の角度範囲に渡って形成されていることを特徴とする光源装置。
【請求項６】
請求項５において、
前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを有しており、
前記第２中央レンズ部分は、前記中央レンズ部分のＹＺ平面上の前記端面をＸ軸のマイナス方向に所定長さだけ平行移動することにより得られる平行移動体であり、
前記第２側方レンズ部分は、前記側方レンズ部分のＹＺ平面上の前記端面をＸ軸のマイナス方向に所定長さだけ平行移動することにより得られる平行移動体であることを特徴とする光源装置。
【請求項７】
請求項１ないし３のうちのいずれかの項において、
前記中央レンズ部分および前記側方レンズ部分のそれぞれは、ＸＹ平面から１８０°の角度範囲に渡って形成されていることを特徴とする光源装置。
【請求項８】
発散光を射出する発光面を備えた発光素子と、
前記発光素子の前記発光面を覆う光源レンズとを有し、
前記発光面と同一平面上で当該発光面の発光中心点Ｐから外れている位置を原点とし、前記原点および前記発光点を通過して延びる軸をＸ軸、前記原点でＸ軸に直交して前記発光面と同一平面上を延びる軸をＹ軸、前記原点でＸ軸およびＹ軸と直交して前記発光面の前方に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする光源装置。
【請求項９】
請求項８において、
前記中央レンズ部分は、当該中央レンズ部分を通過する光を（ｘ，ｙ，ｚ）成分で表した場合に、ｙ成分のみを０に近づけるように作用するものとされていることを特徴とする光源装置。
【請求項１０】
請求項８または９において、
前記側方レンズ部分は、当該側方レンズ部分を通過する光を（ｘ，ｙ，ｚ）成分で表した場合に、ｚ成分とｘ成分を０に近づけるように作用するものとされていることを特徴とする光源装置。
【請求項１１】
請求項８ないし１０のうちのいずれかの項において、
前記中央レンズ部分および前記側方レンズ部分のそれぞれは、Ｙ軸を中心として同一断面形状を回転させることにより得られる回転体であり、ＸＹ平面からＸ軸のマイナス方向に向って９０°の角度範囲に渡って形成されていることを特徴とする光源装置。
【請求項１２】
請求項８ないし１１のうちのいずれかの項において、
前記発光面の外周縁の近傍で当該発光面から外れている位置を原点としていることを特徴とする光源装置。
【請求項１３】
請求項１ないし１２のうちのいずれかの項において、
前記光源レンズのＸ軸のマイナス方向に隣接配置された第１反射鏡を有し、
前記第１反射鏡は、ＹＺ平面と平行で前記光源レンズの側を向いている第１反射面を備えていることを特徴とする光源装置。
【請求項１４】
請求項１ないし１３のうちのいずれかの項において、
前記光源レンズのＹ軸方向の両側に隣接配置された第２反射鏡を有し、
前記第２反射鏡のそれぞれは、前記光源レンズの側を向き、Ｚ軸の前方に向ってＸＺ平面から離れる方向に傾斜している第２反射面を備えていることを特徴とする光源装置。
【請求項１５】
請求項１ないし１４のうちのいずれかの項において、
前記光源レンズは、ＸＺ平面に対して面対称の形状をしていることを特徴とする光源装置。
【発明の詳細な説明】
【技術分野】
【０００１】
本発明は、線状の光を放射する光源装置に関する。
【背景技術】
【０００２】
発光ダイオードからの発散光を、発光面を包囲する光源レンズで配光制御することによって所定の照射範囲に放射する光源装置は特許文献１に記載されている。同文献の光源装置では、光源レンズは発光面の中心軸に対して回転対称に構成されており、発光ダイオードからの発散光は光源レンズによって中心軸と平行な光と、中心軸と直交する方向に集光する光に配光されている。また、光源レンズを透過することにより中心軸と直交する方向に集光された光は、光源レンズの外周側に配置された円環状の反射鏡によって中心軸と平行な方向に反射されている。
【先行技術文献】
【特許文献】
【０００３】
【特許文献１】特開２００４−２８１６０５号公報
【発明の概要】
【発明が解決しようとする課題】
【０００４】
特許文献１の光源装置によれば円形の照射範囲を得ることができるが、光源装置によって線状の照射範囲を得たい場合がある。
【０００５】
本発明の課題は、このような点に鑑みて、発散光を光源レンズで配光制御して照射範囲を線状とする光源装置を提案することにある。
【課題を解決するための手段】
【０００６】
上記の課題を解決するために、本発明の光源装置は、
発散光を射出する発光面を備えた発光素子と、
前記発光素子の前記発光面を覆う光源レンズとを有し、
前記発光面の発光中心点を原点とし、前記原点で直交して前記発光面と同一平面上を延びる二軸をＸ軸およびＹ軸、前記原点から前記発光面の前方に垂直に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする。
【０００７】
本発明によれば、光源からの発散光のうち中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レン
ズ部分の透過光によって、線状の照射範囲を得ることができる。ここで、Ｘ軸を含む平面で切断した場合の断面形状が発散光を発散状態のまま通過させるものとは、この断面形状が、発散光を屈折させることなくそのまま通過させるもの、或いは、発散光を集光を伴わずに通過させるものがある。
【０００８】
本発明において、前記中央レンズ部分は、当該中央レンズ部分を通過する光を（ｘ,ｙ,ｚ）成分で表した場合に、ｙ成分のみを０に近づけるように作用するものとすることが望ましい。
【０００９】
本発明において、前記側方レンズ部分は、当該前記側方レンズ部分を通過する光を（ｘ,ｙ,ｚ）成分で表した場合に、ｚ成分とｘ成分を０に近づけるように作用するものとされていることが望ましい。
【００１０】
本発明において、前記中央レンズ部分および前記側方レンズ部分のそれぞれは、Ｙ軸を中心として同一断面形状を回転させることにより得られる回転体であり、ＸＹ平面からＸ軸のマイナス方向に向って９０°〜１８０°以下の角度範囲に渡って形成されていることが望ましい。このような回転体から中央レンズ部分および前記側方レンズ部分を形成すれば、中央レンズ部分のＸ軸を含む平面で切断した場合の断面形状を、発散光を屈折させることなくそのまま通過させるものとすることが容易となり、側方レンズ部分のＸ軸を含む平面で切断した場合の断面形状を、発散光をＹＺ平面の方向に屈折させる正のパワーを備えたものとすることが容易となる。
【００１１】
本発明において、前記中央レンズ部分および前記側方レンズ部分のそれぞれは、ＸＹ平面から９０°の角度範囲に渡って形成されているものとすることができる。
【００１２】
この場合において、前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを有しており、前記第２中央レンズ部分は、前記中央レンズ部分のＹＺ平面上の前記端面をＸ軸のマイナス方向に所定長さだけ平行移動することにより得られる平行移動体であり、前記第２側方レンズ部分は、前記側方レンズ部分のＹＺ平面上の前記端面をＸ軸のマイナス方向に所定長さだけ平行移動することにより得られる平行移動体であることが望ましい。
【００１３】
このようにすれば、第２中央レンズ部分は、Ｘ軸を含む平面で切断した場合の断面形状が発散光を発散状態のままで通過させるものとなり、Ｙ軸を含む平面で切断した場合の断面形状が発散光をＸＺ平面の方向に屈折させる正のパワーを備えたものとなる。また、第２側方レンズ部分のそれぞれは、Ｘ軸を含む平面で切断した場合の断面形状が発散光を発散状態のままで通過させるものとされており、Ｙ軸を含む平面で切断した場合の断面形状が発散光をＸＹ平面の方向に屈折させる正のパワーを備えたものとなる。従って、光源からの発散光のうち第２中央レンズ部分の透過光は、ＸＺ平面に沿って、Ｙ軸方向の幅が狭められた線状となり、中央レンズ部分の透過光による照射範囲に連続する部分を照らす。また、光源からの発散光のうち第２側方レンズ部分を通過する光は、ＹＺ平面よりもＸ軸をマイナス方向に向って放射されており、ＸＹ平面の方向に屈折させられる。従って、第２側方レンズ部分の透過光は中央レンズ部分および第２中央レンズ部分の透過光とは重ならない方向に放射される。この結果、第２中央レンズ部分の透過光により、中央レンズ部分の透過光による線状の照射範囲に連続した線状の照射範囲を得ることができるので、照射範囲をより長く延ばすことができる。
【００１４】
本発明において、前記中央レンズ部分および前記側方レンズ部分のそれぞれは、ＸＹ平面から１８０°の角度範囲に渡って形成されているものとしてもよい。このようにすれば
、線状の照射範囲がより長くなる。
【００１５】
次に、本発明の別の形態は、
発散光を射出する発光面を備えた発光素子と、
前記発光素子の前記発光面を覆う光源レンズとを有し、
前記発光面と同一平面上で当該発光面の発光中心点から外れている位置を原点とし、前記原点および前記発光点を通過して延びる軸をＸ軸、前記原点でＸ軸に直交して前記発光面と同一平面上を延びる軸をＹ軸、前記原点でＸ軸およびＹ軸と直交して前記発光面の前方に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする。
【００１６】
本発明によれば、光源からの発散光のうち中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レンズ部分の透過光によって、線状の照射範囲を得ることができる。ここで、Ｘ軸を含む平面で切断した場合の断面形状としては、この断面形状が、発散光を屈折させることなくそのまま通過させるもの、或いは、発散光を集光を伴わずに通過させるものがある。
【００１７】
本発明において、前記中央レンズ部分は、当該中央レンズ部分を通過する光を（ｘ,ｙ,ｚ）成分で表した場合に、ｙ成分のみを０に近づけるように作用するものとすることが望ましい。
【００１８】
本発明において、前記側方レンズ部分は、当該前記側方レンズ部分を通過する光を（ｘ,ｙ,ｚ）成分で表した場合に、ｚ成分とｘ成分を０に近づけるように作用するものとされていることが望ましい。
【００１９】
本発明において、前記中央レンズ部分および前記側方レンズ部分のそれぞれは、Ｙ軸を中心として同一断面形状を回転させることにより得られる回転体であり、ＸＹ平面からＸ軸のマイナス方向に向って９０°の角度範囲に渡って形成されていることが望ましい。このような回転体から中央レンズ部分および前記側方レンズ部分を形成すれば、中央レンズ部分のＸ軸を含む平面で切断した場合の断面形状を、発散光を発散状態のままで通過させるものとすることが容易となり、側方レンズ部分のＸ軸を含む平面で切断した場合の断面形状を、発散光をＹＺ平面の方向に屈折させる正のパワーを備えたものとすることが容易となる。
【００２０】
この場合において、前記発光面の外周縁の近傍で当該発光面から外れている位置を原点としていることが望ましい。このようにすれば、中央レンズ部分および側方レンズ部分によって発光素子の発光面の全面を覆うことができる。
【００２１】
本発明において、前記光源レンズのＸ軸のマイナス方向に隣接配置された第１反射鏡を有し、前記第１反射鏡は、ＹＺ平面と平行で前記光源レンズの側を向いている第１反射面
を備えていることが望ましい。このようにすれば、光源レンズの透過光のうち、Ｘ軸をマイナス方向に向う光をＹＺ平面の側に反射することができる。従って、照射範囲の光度を高めることができる。
【００２２】
本発明において、前記光源レンズのＹ軸方向の両側に隣接配置された第２反射鏡を有し、前記第２反射鏡のそれぞれは、前記光源レンズの側を向き、Ｚ軸の前方に向ってＸＺ平面から離れる方向に傾斜している第２反射面を備えていることが望ましい。このようにすれば、第２反射面を側方レンズ部分の透過光、或いは、第２側方レンズ部分の透過光をＸＹ平面の方向に反射できるので、これらの透過光を中央レンズ部分の透過光による線状の照射範囲に重ねること、或いは、その照射範囲に沿って照射することができる。ここで、光源からの発散光のうち各側方レンズ部分を透過する光は、ＸＹ平面の方向並びにＹＺ平面の方向に屈折させられている。また、光源からの発散光のうち第２側方レンズ部分を通過する光はＹＺ平面よりもＸ軸をマイナス方向に向って放射されており、ＸＹ平面の方向に屈折させられている。従って、側方レンズ部分或いは第２側方レンズ部分を透過する光が屈折させられていない場合と比較して、これらの透過光を、Ｘ軸方向およびＺ軸方向において小さな反射面で反射できる。
【００２３】
本発明において、前記光源レンズは、ＸＺ平面に対して面対称の形状をしていることが望ましい。
【発明の効果】
【００２５】
本発明によれば、光源からの発散光のうち中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レンズ部分の透過光によって、線状の照射範囲を得ることができる。
【図面の簡単な説明】
【００２６】
【図１】本発明を適用した光源装置の外観斜視図である。
【図２】光源装置を説明するための平面図および断面図である。
【図３】発光素子の配光特性を示す扇グラフおよび等高線グラフである。
【図４】光源レンズを説明するための断面図である。
【図５】光源装置の配光特性を示す扇グラフおよび等高線グラフである。
【図６】第２の発光素子の配光特性を示す扇グラフおよび等高線グラフである。
【図７】変形例１の光源装置の配光特性を示す扇グラフおよび等高線グラフである。
【図８】第３の発光素子の配光特性を示す扇グラフおよび等高線グラフである。
【図９】変形例２の光源装置の配光特性を示す扇グラフおよび等高線グラフである。
【図１０】実施例２の光源装置を説明するための平面図および断面図である。
【図１１】実施例２の光源装置の配光特性を示す扇グラフおよび等高線グラフである。
【図１２】実施例３の光源装置を説明するための平面図および断面図である。
【図１３】実施例３の光源装置の配光特性を示す扇グラフおよび等高線グラフである。
【発明を実施するための形態】
【００２７】
以下に図面を参照しながら、本発明を実施するための形態を説明する。
【００２８】
［実施例１］
（全体構成）
図１は本例の光源装置の概観斜視図である。図２（ａ）は光源装置の平面図であり、図２（ｂ）は光源装置をＸＺ平面で切断した断面図であり、図２（ｃ）は光源装置をＹＺ平面で切断した断面図である。光源装置１は、基板２と、この基板２に形成された配線パターンに接続された発光素子３を備えている。基板２の表面には発光素子３の発光面３ａを覆うように光源レンズ４が固定されており、発光素子３は光源レンズ４の内側に収納されている。なお、本例では、発光面３ａの発光中心点Ｐを原点Ｏとし、原点Ｏで直交して発光面３ａと同一平面上を延びる二軸をＸ軸およびＹ軸、原点Ｏから発光面３ａの前方に垂直に延びる軸をＺ軸として説明する。また、Ｘ軸方向の一方をプラス方向、他方をマイナス方向として説明する。
【００２９】
光源レンズ４のＺ軸方向の側およびＸ軸のプラス方向の側は開放状態とされている。光源レンズ４のＸ軸のマイナス方向には第１反射鏡５が隣接配置されている。光源レンズ４のＹ軸方向の両側には一対の第２反射鏡６が隣接配置されている。
【００３０】
（発光素子）
図３（ａ）は発光素子３の配光特性を天頂角度と方位角度相対値で示す扇グラフであり、図３（ｂ）は発光素子３の配光特性を方位角度と天頂角度相対値で示す等高線グラフである。本例において、光源として用いた発光素子３は発散光を放射する発光ダイオードであり、図３に示すように、その配光はランバート分布を示している。
【００３１】
（光源レンズ）
図４（ａ）は光源レンズ４をＹ軸方向から見た側面図であり、図４（ｂ）はＹＺ平面で切断した光源レンズ４の断面図である。光源レンズ４は、エポキシ樹脂やポリカーボネート樹脂などの光透過性樹脂を射出成型することによって形成されている。図１、図２（ａ）に示すように、光源レンズ４は、ＹＺ平面よりもＸ軸のプラス側に位置する第１部位１１と、ＹＺ平面よりもＸ軸のマイナス側に位置する第２部位１２を備えている。第１部位１１は発光素子３からの発散光のうちＹＺ平面よりもＸ軸のプラス側を通過する光を配光制御し、第２部位１２は発光素子３からの発散光のうちＹＺ平面よりもＸ軸のマイナス側を通過する光を配光制御する。
【００３２】
第１部位１１は、発光面３ａのＺ軸方向の前方に位置する第１中央レンズ部分（中央レンズ部分）１３と、Ｙ軸方向において第１中央レンズ部分１３の両端に形成されている一対の第１側方レンズ部分（側方レンズ部分）１４を備えている。第２部位１２は、第１中央レンズ部分１３のＸ軸のマイナス方向の端に形成されている第２中央レンズ部分１５と、各第１側方レンズ部分１４のＸ軸のマイナス方向の端に形成されている一対の第２側方レンズ部分１６を備えている。
【００３３】
第１中央レンズ部分１３は、Ｘ軸を含む平面で切断した場合の断面形状が、図２（ｂ）に示すように、発光素子３からの発散光を屈折させることなくそのまま通過させるものとされている。また、Ｙ軸を含む平面で切断した場合の断面形状が、図２（ｃ）に示すように、発光素子３からの発散光をＸＺ平面の方向に屈折させる正のパワーを備えたものとされている。言い換えると、第１中央レンズ部分１３は、当該部分を通過する光を（ｘ,ｙ,ｚ）成分で表した場合に、ｙ成分のみを０に近づけるように作用する。
【００３４】
第１側方レンズ部分１４のそれぞれは、Ｘ軸を含む平面で切断した場合の断面形状が、発光素子３からの発散光をＹＺ平面の方向に屈折させる正のパワーを備えたものとされている。また、Ｙ軸を含む平面で切断した場合の断面形状が、図２（ｃ）に示すように、発光素子３からの発散光をＸＹ平面の方向に屈折させる正のパワーを備えたものとされている。言い換えると、第１側方レンズ部分１４は、当該部分を通過する光を（ｘ,ｙ,ｚ）成
分で表した場合に、ｚ成分とｘ成分を０に近づけるように作用する。
【００３５】
第１中央レンズ部分１３および一対の第１側方レンズ部分１４は、Ｙ軸を中心として、図４（ｂ）に示す同一断面形状２０ａを回転させることにより得られる回転体２０であり、図４（ａ）の矢印に示すように、ＸＹ平面からＸ軸のマイナス方向に向って９０°の角度範囲に渡って形成されている。
【００３６】
ここで、同一断面形状２０ａは、図４（ｂ）に示すＹＺ平面上では、Ｚ軸に対して対称であり、Ｚ軸と交差してＺ軸の前方に突出する第１円弧部分２１と、第１円弧部分２１の両端からそれぞれＹ軸方向に突出する一対の第２円弧部分２２を備えている。第１円弧部分２１を規定している円の中心２１ａは、Ｚ軸上において発光面３ａから前方に離れた位置にある。また、一対の第２円弧部分２２をそれぞれ規定している円の中心２２ａは、Ｙ軸上において、発光面３ａから外側に離れた位置にある。図１、図２に示すように、第１円弧部分２１によって第１中央レンズ部分１３の外側面１３ａの形状が規定されており、一対の第２円弧部分２２によって一対の第１側方レンズ部分１４の外側面１４ａの形状が規定されている。
【００３７】
一対の第２円弧部分２２のＺ軸方向の後端の間は、図４（ｂ）に示すように、一方の第２円弧部分２２の後端からＹ軸上を延びる第１直線部分２３と、第１直線部分２３の端からＺ軸方向を前方に延びる第２直線部分２４と、第２直線部分２４の端からＹ軸方向に延びる第３直線部分２５と、第３直線部分２５の端からＺ軸方向を後方に延びる第４直線部分２６と、第４直線部分２６の端から他方の第２円弧部分２２の後端までＹ軸上を延びる第５直線部分２７によって連続させられている。第３直線部分２５の寸法は、第１円弧部分２１のＹ軸方向の寸法と同一となっている。第２直線部分２４、第３直線部分２５および第４直線部分２６によって、第１中央レンズ部分１３および第１側方レンズ部分１４の内側に形成されている第１凹部２８の形状が規定されている。
【００３８】
次に、第２中央レンズ部分１５および一対の第２側方レンズ部分１６は、第１中央レンズ部分１３および第１側方レンズ部分１４のＹＺ平面上の端面、すなわち、図４（ｂ）に示す同一断面形状２０ａを備えている端面を、Ｘ軸のマイナス方向に所定長さだけ平行移動することにより得られる平行移動体となっている。より詳細には、同一断面形状２０ａの第１円弧部分２１によって第２中央レンズ部分１５の外側面１５ａの形状が規定されており、第２円弧部分２２によって第２側方レンズ部分１６の外側面１６ａの形状が規定されている。また、第２直線部分２４、第３直線部分２５および第４直線部分２６によって、第２中央レンズ部分１５および第２側方レンズ部分１６の内側に形成されている第２凹部２９の形状が規定されている。
【００３９】
これにより、第２中央レンズ部分１５は、Ｘ軸を含む平面で切断した場合の断面形状が、図２（ｂ）に示すように、発光素子３からの発散光を発散状態のままで通過させるものとなっており、Ｙ軸を含む平面で切断した場合の断面形状は、発光素子３からの発散光をＸＺ平面の方向に屈折させる正のパワーを備えたものとなっている。言い換えると、第２中央レンズ部分１５は、当該部分を通過する光を（ｘ,ｙ,ｚ）成分で表した場合に、ｙ成分のみを０に近づけるように作用する。
【００４０】
また、一対の第２側方レンズ部分１６は、Ｘ軸を含む平面で切断した場合の断面形状が、発光素子３からの発散光を発散状態のままで通過させるものとなっており、Ｙ軸を含む平面で切断した場合の断面形状は、図２（ｃ）に示す第１側方レンズ部分１４と同様に、発光素子３からの発散光をＸＹ平面の方向に屈折させる正のパワーを備えたものとなっている。言い換えると、第２側方レンズ部分１６は、当該部分を通過する光を（ｘ,ｙ,ｚ）成分で表した場合に、ｚ成分のみを０に近づけるように作用する。
【００４１】
なお、発光素子３は、第１凹部２８および第２凹部２９によって基板２上に形成された空間内に収納されており、光源レンズ４は発光素子３の発光面３ａをＺ軸方向の前方から覆っている。より詳細には、第１部位１１が発光面３ａのＸ軸のプラス側をＺ軸方向の前方から覆っており、第２部位１２が発光面３ａのＸ軸のマイナス側をＺ軸方向の前方から覆っている。
【００４２】
本例では、発光素子３から放射されてＹＺ平面からＸ軸のプラス側を通過する発散光のうち、ＸＺ平面に対しておよそ０°から４５°の方向に放射された光が第１中央レンズ部分１３を透過する。第１中央レンズ部分１３を通過する光は、図２（ｃ）に示すように、ＸＺ平面の方向に屈折させられ、その透過光はＸＺ平面に平行な方向に放射される。
【００４３】
また、発光素子３から放射されてＹＺ平面からＸ軸のプラス側を通過する発散光のうち、ＸＺ平面に対しておよそ４５°から９０°の方向に放射された光が第１側方レンズ部分１４を通過する。第１側方レンズ部分１４を通過する光は、ＹＺ平面の方向並びにＸＹ平面の方向に屈折させられ、その透過光はＹＺ平面並びにＸＹ平面に平行な方向に放射される。
【００４４】
さらに、発光素子３から放射されて、ＹＺ平面よりもＸ軸のマイナス側を通過する発散光のうちＺ軸に対しておよそ０°から４５°の方向に放射された光が、一部を除いて、直接、第２中央レンズ部分１５を透過する。第２中央レンズ部分１５を通過する光はＸＺ平面の方向に屈折させられ、その透過光はＸＺ平面に平行な方向に放射される。
【００４５】
また、発光素子３から放射されてＹＺ平面よりもＸ軸のマイナス側に向う発散光のうち、Ｚ軸に対しておよそ４５°から９０°の方向に放射された光が、一部を除いて、直接、第２側方レンズ部分１６を通過する。第２側方レンズ部分１６を通過する光は、Ｘ軸のマイナス方向に向うとともに、ＸＹ平面の方向に屈折させられ、その透過光はＸＹ平面に平行な方向に放射される。
【００４６】
なお、発光素子３から放射されて、ＹＺ平面よりもＸ軸のマイナス側に向う発散光のうち、第２中央レンズ部分１５または第２側方レンズ部分１６に直接達しない一部の光は、第１反射鏡５によってＹＺ平面の側に向って反射され、しかる後に、光源レンズ４を透過する。
【００４７】
（反射鏡）
第１反射鏡５は、ＹＺ平面と平行で光源レンズ４の側を向いている第１反射面５ａを備えている。第１反射面５ａは、図２（ｂ）に示すように、Ｘ軸のマイナス方向に向う第２中央レンズ部分１５の透過光を、ＹＺ平面の方向に反射する。本例では、第１反射鏡５のＺ軸方向の寸法は、光源レンズ４のＺ軸方向の高さ寸法の２倍以上となっている。
【００４８】
一対の第２反射鏡６のそれぞれは、図２（ｃ）に示すように、光源レンズ４の側を向き、Ｚ軸の前方に向ってＸＺ平面から離れる方向に傾斜している第２反射面６ａを備えている。本例では、第２反射面６ａは発光素子３の発光面３ａに対して４５°傾斜している。第２反射面６ａは、第１側方レンズ部分１４の透過光および第２側方レンズ部分１６の透過光を、ＸＺ平面の方向に反射する。
【００４９】
ここで、第１側方レンズ部分１４を通過する光は、ＸＹ平面の方向、並びに、ＹＺ平面の方向に屈折させられている。また、第２側方レンズ部分１６を通過する光はＹＺ平面よりもＸ軸のマイナス方向に向って放射されており、ＸＹ平面の方向に屈折させられている。従って、第１側方レンズ部分１４を通過する光、および、第２側方レンズ部分１６を通
過する光が屈折させられていない場合と比較して、これらの透過光を、Ｘ軸方向およびＺ軸方向において、小さな反射鏡で反射できる。本例では、一対の第２反射鏡６のＺ軸方向の前端は、光源レンズ４のＺ軸方向の前端よりも僅かに上方に位置している。
【００５０】
（配光特性）
図５（ａ）は光源装置１の配光特性を天頂角度と方位角度相対値で示す扇グラフであり、図５（ｂ）は光源装置１の配光特性を方位角度と天頂角度相対値で示す等高線グラフである。本例によれば、発光素子３からの発散光のうち第１中央レンズ部分１３および第２中央レンズ部分１５を透過した透過光は、ＸＺ平面に沿って、Ｙ軸方向の幅が狭められた線状となる。
【００５１】
また、本例によれば、発光素子３からの発散光のうち、第１側方レンズ部分１４を透過する光は、ＸＹ平面並びにＹＺ平面と平行な方向に屈折させられており、第２側方レンズ部分１６を通過する光はＹＺ平面よりもＸ軸のマイナス方向に向って放射されて、ＸＹ平面の方向に屈折させられている。この結果、第１側方レンズ部分１４の透過光および第２側方レンズ部分１６の透過光は第１中央レンズ部分１３および第２中央レンズ部分１５の透過光とは重ならない方向に放射されているが、これらの透過光は、第２反射鏡６によってＺ軸を含むＸＺ平面に平行な方向に反射させられている。
【００５２】
以上のような配光制御の結果、光源装置１によれば、図５に示すように、方位角度２７０°の側に線状の照射範囲を得ることができる。
【００５３】
本例では、光源レンズ４が第１中央レンズ部分１３のＸ軸のマイナス方向に連続する第２中央レンズ部分１５を備えているので、光源装置１による線状の照射範囲が長い。
【００５４】
また、本例では、光源レンズ４のＸ軸のマイナス方向に配置された第１反射鏡５によって、Ｘ軸のマイナス方向に向う第２中央レンズ部分１５の透過光をＹＺ平面側に反射するので、照射範囲の光度が高まる。
【００５５】
（変形例１）
発光素子３として、上記の発光素子３に替えて、第２の発光素子７を用いた変形例１の光源装置を説明する。なお、変形例１の光源装置は、発光素子３を除いて上記の実施例１と同一の構成を備えているので、その構成の説明は省略する。
【００５６】
図６（ａ）は第２の発光素子７の配光特性を天頂角度と方位角度相対値で示す扇グラフであり、図６（ｂ）は第２の発光素子７の配光特性を方位角度と天頂角度相対値で示す等高線グラフである。第２の発光素子７は、環状に強い光を射出する発光ダイオードである。
【００５７】
図７（ａ）は変形例１の光源装置の配光特性を天頂角度と方位角度相対値で示す扇グラフであり、図７（ｂ）は変形例１の光源装置の配光特性を方位角度と天頂角度相対値で示す等高線グラフである。変形例１の光源装置においても、Ｙ軸方向の射出角度が狭まっており、方位角度２７０°の側に線状の照射範囲が形成される。なお、変形例１の光源装置では、天頂角度４０°、方位角度２７０°の側に強いスポット光が発生する。
【００５８】
（変形例２）
発光素子３として、上記の発光素子３に替えて、第３の発光素子８を用いた変形例２の光源装置を説明する。なお、変形例２の光源装置は、発光素子３を除いて上記の実施例１と同一の構成を備えているので、その構成の説明は省略する。
【００５９】
図８（ａ）は第３の発光素子８の配光特性を天頂角度と方位角度相対値で示す扇グラフであり、図８（ｂ）は第３の発光素子８の配光特性を方位角度と天頂角度相対値で示す等高線グラフである。第３の発光素子８は、所謂、高輝度タイプの発光ダイオードである。
【００６０】
図９（ａ）は変形例２の光源装置の配光特性を天頂角度と方位角度相対値で示す扇グラフであり、図９（ｂ）は変形例２の光源装置の配光特性を方位角度と天頂角度相対値で示す等高線グラフである。変形例２の光源装置においても、Ｙ軸方向の射出角度が狭まっており、方位角度２７０°の側に線状の照射範囲が形成される。なお、変形例２の光源装置では、天頂角度９０°、方位角度２７０°の側にスポット光が発生する。
【００６１】
以上の説明では、もっとも理想的な光源レンズ４について記述したが、別目的のためにこの光源レンズ４の形状をアレンジすることも可能である。
【００６２】
ここで、第１中央レンズ部分１３は、当該部分を通過する光を（ｘ,ｙ,ｚ）成分で表した場合に、主にｙ成分を０に近づけるような形状あればよく、必ずしもｘ成分・ｚ成分をそのまま維持するものである必要はない。
【００６３】
第１側方レンズ部分１４は、当該部分を通過する光を（ｘ,ｙ,ｚ）成分で表した場合に、主にｚ成分とｘ成分を０に近づけるような形状であればよく、必ずしもｙ成分をそのまま維持するものである必要はない。
【００６４】
第２中央レンズ部分１５は、当該部分を通過する光を（ｘ,ｙ,ｚ）成分で表した場合に、ｙ成分のみを０に近づけるような形状あればよく、必ずしもｘ成分・ｚ成分をそのまま維持するものである必要はない。
【００６５】
第２側方レンズ部分１６は、当該部分を通過する光を（ｘ,ｙ,ｚ）成分で表した場合に、ｚ成分のみを０に近づけるような形状あればよく、必ずしもｘ成分・ｙ成分をそのまま維持するものである必要はない。
【００６６】
なお、後述する第２および第３実施例に記載の光源レンズにおいても、別目的のためにこのように形状をアレンジすることも可能である。
【００６７】
［実施例２］
次に、実施例１とは異なる発光素子および異なる光源レンズを用いた光源装置の実施例２を説明する。本例においても、発光素子の発光面３の発光中心点Ｐを原点Ｏとし、原点Ｏで直交して発光面と同一平面上を延びる二軸をＸ軸およびＹ軸、原点Ｏから発光面の前方に垂直に延びる軸をＺ軸とする。
【００６８】
図１０（ａ）は本例の光源装置の平面図であり、図１０（ｂ）は本例の光源装置をＸＺ平面で切断した断面図であり、図１０（ｃ）は本例の光源装置をＹＺ平面で切断した断面図である。実施例２の光源装置１Ａは、第１反射鏡５を備えていない。なお、本例の光源装置１Ａは、実施例１と対応する構成を備えているので、対応する部分には同一の符号を付して、その説明を省略する。
【００６９】
（発光素子）
本例では、第２の発光素子７を用いている。第２の発光素子７の配光特性は、図６に示すものである。
【００７０】
（光源レンズ）
光源レンズ４Ａは、第２の発光素子７の発光面７ａのＺ軸方向の前方に位置する中央レ
ンズ部分４３と、Ｙ軸方向において中央レンズ部分４３の両端に形成されている一対の側方レンズ部分４４を備えている。
【００７１】
中央レンズ部分４３は、Ｘ軸を含む平面で切断した場合の断面形状が、図１０（ｂ）に示すように、第２の発光素子７からの発散光を発散状態のままで通過させるものとされている。また、中央レンズ部分４３は、Ｙ軸を含む平面で切断した場合の断面形状が、図１０（ｃ）に示すように、第２の発光素子７からの発散光をＸＺ平面の方向に屈折させる正のパワーを備えたものとされている。言い換えると、中央レンズ部分１３は、当該部分を通過する光を（ｘ,ｙ,ｚ）成分で表した場合に、ｙ成分のみを０に近づけるように作用する。
【００７２】
側方レンズ部分４４のそれぞれは、Ｘ軸を含む平面で切断した場合の断面形状が第２の発光素子７からの発散光をＹＺ平面の方向に屈折させる正のパワーを備えたものとされており、Ｙ軸を含む平面で切断した場合の断面形状が、図１０（ｃ）に示すように、第２の発光素子７からの発散光をＸＹ平面の方向に屈折させる正のパワーを備えたものとされている。言い換えると、第１側方レンズ部分１４は、当該部分を通過する光を（ｘ,ｙ,ｚ）成分で表した場合に、ｚ成分とｘ成分を０に近づけるように作用する。
【００７３】
ここで、中央レンズ部分４３および一対の側方レンズ部分４４は、Ｙ軸を中心として、図１０（ｂ）に示す同一断面形状５０ａを回転させることにより得られる回転体５０であり、図１０（ｂ）の矢印に示すように、ＸＹ平面からＸ軸のマイナス方向に向って１８０°の角度範囲に渡って形成されている。
【００７４】
同一断面形状５０ａは、図１０（ｃ）に示すＹＺ平面上では、Ｚ軸に対して対称であり、Ｚ軸と交差してＺ軸の前方に突出する第１円弧部分５１と、円弧部分の両端からそれぞれＹ軸方向に突出する一対の第２円弧部分５２を備えている。第１円弧部分５１を規定している円の中心５１ａは、Ｚ軸上において発光面７ａから前方に離れた位置にある。また、一対の第２円弧部分５２をそれぞれ規定している円の中心５２ａは、Ｙ軸上において、発光面７ａから外側に離れた位置にある。図１０（ａ）、（ｃ）に示すように、第１円弧部分５１によって中央レンズ部分４３の外側面４３ａの形状が規定されており、第２円弧部分５２によって側方レンズ部分４４の外側面４４ａの形状が規定されている。
【００７５】
一対の第２円弧部分５２の後端の間は、図１０（ｃ）に示すように、一方の第２円弧部分５２の後端からＹ軸上を延びる第１直線部分５３と、第１直線部分５３の端からＺ軸方向を前方に延びる第２直線部分５４と、第２直線部分５４の端からＹ軸方向に延びる第３直線部分５５と、第３直線部分５５の端からＺ軸方向を後方に延びる第４直線部分５６と、第４直線部分５６の端から他方の第２円弧部分５２の後端までＹ軸上を延びる第５直線部分５７によって連続させられている。第３直線部分５５の寸法は、第１円弧部分５１のＹ軸方向の寸法と同一となっており、第２直線部分５４、第３直線部分５５および第４直線部分５６によって、中央レンズ部分４３および側方レンズ部分４４の内側に形成されている凹部５８の形状が規定されている。
【００７６】
ここで、第２の発光素子７は、凹部５８によって基板２上に形成された空間内の中央に収納されている。光源レンズ４Ａは発光素子７の発光面７ａをＺ軸方向の前方から覆っている。
【００７７】
本例では、第２の発光素子７からの発散光のうち、ＸＺ平面に対しておよそ０°から４５°の方向に放射された光が中央レンズ部分４３を透過する。中央レンズ部分４３を通過する光はＸＺ平面の方向に屈折させられ、その透過光はＸＺ平面に平行な方向に放射される。
【００７８】
また、発光素子３からの発散光のうち、ＸＺ平面に対しておよそ４５°から９０°の方向に放射された光が側方レンズ部分４４を通過する。側方レンズ部分４４を通過する光は、ＹＺ平面の方向並びにＸＹ平面の方向に屈折させられ、その透過光はＹＺ平面並びにＸＹ平面に平行な方向に放射される。しかる後に、側方レンズ部分４４の透過光は、第２反射鏡６によって、Ｚ軸を含むＸＺ平面に平行な方向に反射させられる。
【００７９】
（配光特性）
図１１（ａ）は光源装置１Ａの配光特性を天頂角度と方位角度相対値で示す扇グラフであり、図１１（ｂ）は第２の発光素子７の配光特性を方位角度と天頂角度相対値で示す等高線グラフである。図１１に示すように、本例の光源装置１Ａによれば、Ｙ軸方向の射出角度が狭まっており、方位角度９０°の側、および、２７０°の側に、線状の照射範囲が形成される。光源装置１Ａによれば、実施例１の光源装置１よりも長い照射範囲が得られている。
【００８０】
なお、実施例２の光源レンズ４Ａは、同一断面形状が１８０°の角度範囲に渡る回転体として形成されているが、９０°〜１８０°のいずれの角度の角度範囲に渡る回転体として形成されていてもよい。
【００８１】
また、光源装置１ＡのＸ軸のマイナス方向の隣接位置に第１反射鏡５を配置してもよい。この場合には、光源装置１Ａによる線状の照射範囲は短くなるが、第１反射鏡５による反射光によって、この照射範囲の光度を高めることができる。
【００８２】
［実施例３］
次に、実施例１とは異なる発光素子および異なる光源レンズを用いた光源装置の実施例３を説明する。本例では、発光素子の発光面と同一平面上で発光面の発光中心点Ｐから外れている位置を原点Ｏとし、原点Ｏおよび発光点を通過して延びる軸をＸ軸、原点ＯでＸ軸に直交して発光面と同一平面上を延びる軸をＹ軸、原点ＯでＸ軸およびＹ軸と直交して発光面の前方に延びる軸をＺ軸とする。図１２（ａ）は本例の光源装置の平面図であり、図１２（ｂ）は本例の光源装置をＸＺ平面で切断した断面図であり、図１２（ｃ）は本例の光源装置をＹＺ平面で切断した断面図である。図１２に示すように、原点Ｏは、第３の発光素子８の発光面８ａから外れた位置であって、発光面８ａの外周縁の近傍にある。なお、本例の光源装置１Ｂは、実施例１と対応する構成を備えているので、対応する部分には同一の符号を付して、その説明を省略する。
【００８３】
（発光素子）
本例では、第３の発光素子８を用いている。第３の発光素子８の配光特性は、図８に示すものである。
【００８４】
（光源レンズ）
光源レンズ４Ｂは、発光素子８の発光面８ａのＺ軸方向の前方に位置する前方レンズ部分６３と、Ｙ軸方向において中央レンズ部分６３の両端に形成されている一対の側方レンズ部分６４を備えている。Ｘ軸方向のプラス側から光源レンズ４Ｂを見たときに、中央レンズ部分６３は、ＸＺ平面を挟んでＹ軸方向の右側に位置する右側レンズ部分６３１と、左側に位置する左側レンズ部分６３２を備えている。右側レンズ部分６３１と左側レンズ部分６３２はＸＺ平面に対して面対称となっている。
【００８５】
中央レンズ部分６３は、Ｘ軸を含む平面で切断した場合の断面形状が、図１２（ｂ）に示すように、第３の発光素子８からの発散光を発散状態のままで通過させるものとされている。また、中央レンズ部分６３は、Ｙ軸を含む平面で切断した場合の断面形状が、図１
２（ｃ）に示すように、第３の発光素子８からの発散光をＸＺ平面の方向に屈折させる正のパワーを備えたものとされている。
【００８６】
側方レンズ部分６４のそれぞれは、Ｘ軸を含む平面で切断した場合の断面形状が第３の発光素子８からの発散光をＹＺ平面の方向に屈折させる正のパワーを備えたものとされており、Ｙ軸を含む平面で切断した場合の断面形状が、図１２（ｃ）に示すように、第３の発光素子８からの発散光をＸＹ平面の方向に屈折させる正のパワーを備えたものとされている。
【００８７】
ここで、中央レンズ部分６３および一対の側方レンズ部分６４は、Ｙ軸を中心として、図１２（ｂ）に示す同一断面形状７０ａを回転させることにより得られる回転体７０であり、図１２（ａ）の矢印に示すように、ＸＹ平面からＸ軸のマイナス方向に向って９０°の角度範囲に渡って形成されている。
【００８８】
同一断面形状７０ａは、図１２（ｃ）に示すＹＺ平面上では、Ｚ軸に対して対称であり、Ｚ軸方向の前方に突出する凸曲線部分７１と、光源レンズ４ＢをＸ軸方向のプラス側から見たときに、凸曲線部分７１の左右の両端からそれぞれＹ方向に突出する一対の円弧部分７２を備えている。
【００８９】
凸曲線部分７１は、Ｚ軸を挟んで右側に位置する右側凸曲線部分７１１と左側に位置する左側凸曲線部分７１２を備えており、右側凸曲線部分７１１によって右側レンズ部分６３１の外側面６３１ａの形状が規定されており、左側凸曲線部分７１２によって左側レンズ部分６３２の外側面６３２ａの形状が規定されている。従って、右側凸曲線部分７１１および左側凸曲線部分７１２によって中央レンズ部分６３の外側面６３ａの形状が規定されている。
【００９０】
一対の円弧部分７２は、Ｚ軸を挟んで右側に位置する右側円弧部分７２１と、左側の左側円弧部分７２２を備えている。右側円弧部分７２１および左側の左側円弧部分７２２をそれぞれ規定する円の中心７２ａは、Ｙ軸上において発光面８ａから外側に離れた位置にある。一対の円弧部分７２によって、一対の側方レンズ部分６４の外側面６４ａの形状が規定されている。
【００９１】
ここで、右側凸曲線部分７１１と、一対の円弧部分７２のうちＺ軸よりも右側に位置している右側円弧部分７２１とは、Ｚ軸に対して右側に４５°の角度で傾斜している対称軸Ｌ１に対して線対称となっており、左側凸曲線部分７１２と、Ｚ軸よりも左側に位置している左側円弧部分７２２は、Ｚ軸に対して左側に４５°の角度で傾斜している対称軸Ｌ２に対して線対称となっている。
【００９２】
一対の円弧部分７２の後端の間は、右側の円弧部分７２１の後端から右側に向ってＹ軸上を延びる第１直線部分７３と、第１直線部分７３の端からＺ軸方向を前方に延びる第２直線部分７４と、第２直線部分７４の端からＹ軸方向に向ってＺ軸方向を前方に傾斜して延びる第３直線部分７５と、第３直線部分７５の端からＹ軸方向に向ってＺ軸方向を後方に傾斜して延びる第４直線部分７６と、第４直線部分７６の端からＺ軸方向を後方に延びる第５直線部分７７と、第５直線部分７７の端から左側の円弧部分７２２の後端までＹ軸上を延びる第６直線部分７８によって連続させられている。第３直線部分７５のＹ軸方向における寸法は右側凸曲線部分７１１のＹ軸方向における寸法と同一となっており、および第４直線部分７６のＹ軸方向における寸法は、左側凸曲線部分７１２のＹ軸方向における寸法と同一となっている。また、第２直線部分７４、第３直線部分７５、第４直線部分７６および第５直線部分７７によって、中央レンズ部分６３および側方レンズ部分６４の内側に形成されている凹部７９の形状が規定されている。
【００９３】
ここで、第３の発光素子８は、凹部７９によって基板２上に形成された空間内に収納されている。光源レンズ４Ｂは第３の発光素子８の発光面８ａをＺ軸方向の前方から覆っている。
【００９４】
本例では、第３の発光素子８からの発散光のうち、ＸＺ平面に対しておよそ０°から４５°の方向に放射された光が、一部を除いて、直接、中央レンズ部分６３を透過する。中央レンズ部分６３を透過する光は、ＸＺ平面の方向に屈折させられ、その透過光はＸＺ平面に平行な方向に放射される。中央レンズ部分６３の透過光のうち、Ｘ方向をＸ軸のマイナス方向に向う光は、第１反射鏡５によってＹＺ平面の方向に反射される。
【００９５】
また、第３の発光素子８からの発散光のうち、ＸＺ平面に対しておよそ４５°から９０°の方向に放射された光が、一部を除いて、直接、側方レンズ部分６４を通過する。側方レンズ部分６４を通過する光は、ＹＺ平面の方向並びにＸＹ平面の方向に屈折させられ、その透過光はＹＺ平面並びにＸＹ平面に平行な方向に放射される。しかる後に、側方レンズ部分６４の透過光は、第２反射鏡６によってＸＺ平面の方向に反射される。
【００９６】
なお、第３の発光素子８からＸＺ平面に対しておよそ０°から４５°の方向に放射された光のうち中央レンズ部分６３に直接達しない一部の光、および、ＸＺ平面に対しておよそ４５°から９０°の方向に放射された光のうち側方レンズ部分６４に直接達しない一部の光は、第１反射鏡５によってＹＺ平面の方向に反射されて、光源レンズ４Ｂを透過する。
【００９７】
（配光特性）
図１３（ａ）は光源装置１Ｂの配光特性を天頂角度と方位角度相対値で示す扇グラフであり、図１３（ｂ）は発光素子３の配光特性を方位角度と天頂角度相対値で示す等高線グラフである。図１３に示すように、本例の光源装置１Ｂによれば、Ｙ軸方向の射出角度が狭まっており、方位角度２７０°の側に線状の照射範囲が形成される。また、光源装置１Ｂによれば、中央レンズ部分６３を右側レンズ部分６３１および左側レンズ部分６３２から構成したことによって天頂角度９０°、方位角度２７０°の側の光線が分散され、実施例１の光源装置１よりも太い照射範囲が得られている。
【００９８】
また、本例によれば、第３の発光素子８の発光面８ａと光源レンズ４Ｂの位置関係の基準となる原点を発光面８ａから外れた位置としているので、中央レンズ部分６３および側方レンズ部分６４のみからなる光源レンズ４Ｂによって発光面８ａをＺ軸方向の前方から覆うことが可能となっている。従って、光源レンズ４Ｂを小さく構成することができる。
【００９９】
なお、実施例３の光源レンズ４Ｂの替わりに、実施例１の第１部位１１と同一形状を備える光源レンズを用いても、線状の照射範囲を得ることができる。
【０１００】
（その他の実施の形態）
上記の例では、発光素子を一つの発光ダイオードとしているが、発光素子として、複数の発光素子を有し、複数の発光素子が全体として一つの発散光を放射しているものを用いることができる。
【０１０１】
また、第１中央レンズ部分１３、第１側方レンズ部分１４、第２中央レンズ部分１５、第２側方レンズ部分１６、中央レンズ部分４３、側方レンズ部分４４、中央レンズ部分６３、側方レンズ部分６４などを、それぞれ、細分化された複数のレンズ部分から構成することもできる。
【０１０２】
さらに、上記の例では、光源レンズ４、４Ａ、４Ｂは、いずれもＸＺ平面に対して面対称に形成されているが、これらを非対称に形成してもよい。
【符号の説明】
【０１０３】
１・１Ａ・１Ｂ・光源装置、２・基板、３・７・８・発光素子、３ａ・７ａ・８ａ・発光面、４・４Ａ・４Ｂ・光源レンズ、５・第１反射鏡、５ａ・第１反射面、６・第２反射鏡、６ａ・第２反射面、１１・第１部位、１２・第２部位、１３・第１中央レンズ部分（中央レンズ部分）、１３ａ・外側面、１４・第１側方レンズ部分（側方レンズ部分）、１４ａ・外側面、１５・第２中央レンズ部分、１５ａ・外側面、１６・第２側方レンズ部分、１６ａ・外側面、２０・回転体、２０ａ・同一断面形状、２１・第１円弧部分、２１ａ・中心、２２・第２円弧部分、２２ａ・中心、２３〜２７・第１〜第５直線部分、２８・第１凹部、２９・第２凹部、４３・中央レンズ部分、４３ａ・外側面、４４・側方レンズ部分、４４ａ・外側面、５０・回転体、５０ａ・同一断面形状、５１・第１円弧部分、５１ａ・中心、５２・第２円弧部分、５２ａ・中心、５３〜５７・第１〜第５直線部分、５８・凹部、６３・中央レンズ部分、６３ａ・外側面、６４・側方レンズ部分、６４ａ・外側面、７０・回転体、７０ａ・同一断面形状、７１・凸曲線部分、７２・円弧部分、７３〜７８・第１〜第６直線部分、７９・凹部、６３１・右側レンズ部分、６３１ａ・外側面、６３２・左側レンズ部分、６３２ａ・外側面、７１１・右側凸曲線部分、７１２・左側凸曲線部分、７２１・右側円弧部分、７２２・左側円弧部分、Ｌ１・対称軸、Ｌ２・対称軸、Ｏ・原点
【図１】
0005634977.tif 000002
【図２】
0005634977.tif 000003
【図４】
0005634977.tif 000004
【図１０】
0005634977.tif 000005
【図１２】
0005634977.tif 000006
【図３】
0005634977.tif 000007
【図５】
0005634977.tif 000008
【図６】
0005634977.tif 000009
【図７】
0005634977.tif 000010
【図８】
0005634977.tif 000011
【図９】
0005634977.tif 000012
【図１１】
0005634977.tif 000013
【図１３】
0005634977.tif 000014